(57)【要約】【課題】  飲料容器と移動式灰皿とを同時に保持できるようにする。【解決手段】  飲料容器を保持可能な飲料容器保持部５を有するカップホルダ装置１と、飲料容器保持部５に保持可能な移動式灰皿１５とを有し、移動式灰皿１５が、カップホルダ装置１表面のフィニッシャ部１２の上縁部に引掛状態で係止保持可能な係止部２１を有し、カップホルダ装置１が係止保持中の移動式灰皿１５の係止部２１を固定・解除可能なロック機構２５を備えるようにしている。【選択図】        図１
2006015881.tif 000002
【特許請求の範囲】
【請求項１】
飲料容器を保持可能な飲料容器保持部を有するカップホルダ装置と、飲料容器保持部に保持可能な移動式灰皿とを有し、移動式灰皿が、カップホルダ装置表面のフィニッシャ部の上縁部に引掛状態で係止保持可能な係止部を有し、カップホルダ装置が係止保持中の移動式灰皿の係止部を固定・解除可能なロック機構を備えたことを特徴とする移動式灰皿係止部構造。
【請求項２】
移動式灰皿の係止部が、カップホルダ装置とフィニッシャ部の表面との間に所要の隙間を保持した状態でフィニッシャ部の裏面側に支持させる支持面を有すると共に、上記隙間部分にフィニッシャ部の表面に対する面当りを防止可能な突起部を有することを特徴とする請求項１記載の移動式灰皿係止部構造。
【発明の詳細な説明】
【技術分野】
【０００１】
この発明は、移動式灰皿係止部構造に関するものである。
【背景技術】
【０００２】
自動車などの車両には、車室内にカップホルダ装置が設置されている。一方、車室内用の灰皿は、固定式灰皿から、車室内での移動が可能な移動式灰皿に切替りつつある。この移動式灰皿には、カップホルダ装置の飲料容器保持部に保持可能としたものが存在している（例えば、特許文献１参照）。
【特許文献１】実開平６−７５８７７号公報
【発明の開示】
【発明が解決しようとする課題】
【０００３】
しかしながら、カップホルダ装置の飲料容器保持部に移動式灰皿を保持させるようにした場合、カップホルダ装置に飲料容器を保持する際に、移動式灰皿の置き場所がなくなってしまうという問題があった。
【課題を解決するための手段】
【０００４】
上記課題を解決するために、請求項１に記載された発明では、飲料容器を保持可能な飲料容器保持部を有するカップホルダ装置と、飲料容器保持部に保持可能な移動式灰皿とを有し、移動式灰皿が、カップホルダ装置表面のフィニッシャ部の上縁部に引掛状態で係止保持可能な係止部を有し、カップホルダ装置が係止保持中の移動式灰皿の係止部を固定・解除可能なロック機構を備えたことを特徴とする移動式灰皿係止部構造。
【０００５】
請求項２に記載された発明では、移動式灰皿の係止部が、カップホルダ装置とフィニッシャ部の表面との間に所要の隙間を保持した状態でフィニッシャ部の裏面側に支持させる支持面を有すると共に、上記隙間部分にフィニッシャ部の表面に対する面当りを防止可能な突起部を有することを特徴とする請求項１記載の移動式灰皿係止部構造。
【発明の効果】
【０００６】
請求項１の発明によれば、移動式灰皿は飲料容器保持部に保持した状態でカップホルダ装置に収容される。飲料容器保持部に飲料容器を保持しない場合には、この状態で移動式灰皿を使用することができる。飲料容器保持部に飲料容器を保持する際には、飲料容器保持部から移動式灰皿を取出して、カップホルダ装置表面のフィニッシャ部の上縁部に係止部を引掛けることにより移動式灰皿を係止保持することができる。このようにすることにより、飲料容器と移動式灰皿とを同時に保持して使用することが可能となる。この際、カップホルダ装置に設けたロック機構を用いて係止保持中の移動式灰皿の係止部を固定することにより、移動式灰皿を安定して保持することができる。反対に、ロック機構を操作して移動式灰皿の保持を解除することにより、移動式灰皿を取外して移動することもできる。
【０００７】
請求項２の発明によれば、移動式灰皿の係止部に設けた支持面が、カップホルダ装置のフィニッシャ部の裏面側に支持させることにより、フィニッシャ部の表面側と係止部との間に所要の隙間が形成されるようにしているので、移動式灰皿の係止保持時に、カップホルダ装置とフィニッシャ部の表面との間に傷が付くことが防止される。また、上記隙間部分に設けた突起部が、係止部とフィニッシャ部の表面との面当りを防止することにより、より効果的に傷の発生を防止することができる。
【発明を実施するための最良の形態】
【０００８】
飲料容器と移動式灰皿とを同時に保持できるようにするという目的を、移動式灰皿が、カップホルダ装置表面のフィニッシャ部の上縁部に引掛状態で係止保持可能な係止部を有し、カップホルダ装置が係止保持中の移動式灰皿の係止部を固定・解除可能なロック機構を備える、という手段で実現した。
【実施例】
【０００９】
以下、本発明を具体化した実施例について、図示例と共に説明する。
【００１０】
図１〜図３は、この発明の実施例を示すものである。
【００１１】
まず、構成を説明すると、自動車などの車両の車室内に、飲料容器を保持可能なカップホルダ装置１を設ける。このカップホルダ装置１は、箱枠状の本体ハウジング２と、この本体ハウジング２に対して引出・収納自在なカップホルダ引出部３とを備えた引出式のものとなっている。本体ハウジング２は、インストルメントパネルなどの内装パネルに形成された開口部の裏面側に固定される。カップホルダ引出部３は、上記開口部から出入できるように配置される。カップホルダ引出部３の引出方向４の手前寄りの位置には飲料容器保持部５が設けられている。飲料容器保持部５は、凹形状を呈している。この実施例では、飲料容器保持部５は、左右（引出方向４と直角方向）に２個並べて設置されている。一方の飲料容器保持部５は、側面が可動式となっている。そして、カップホルダ引出部３の引出方向４の手前側部分には、フランジ部１１が形成され、このフランジ部１１の表面には上記開口部を塞ぐフィニッシャ部１２がインストルメントパネルなどの内装パネルと面一になるように取付けられている。このフィニッシャ部１２およびフランジ部１１は、インストルメントパネルなどの内装パネルと同様の傾斜面を有している。この実施例では、傾斜面は奥側へ向かって下り勾配に傾斜している。
【００１２】
そして、カップホルダ引出部３の飲料容器保持部５に保持可能な移動式灰皿１５を設ける。この移動式灰皿１５は、飲料容器保持部５に保持したままカップホルダ引出部３を本体ハウジング２内へ収納できる大きさとなっている。この移動式灰皿１５は、灰皿本体１６と、この灰皿本体１６上端の開口部を開閉可能な蓋部１７とを備えている。
【００１３】
この実施例のものでは、移動式灰皿１５に、カップホルダ装置１表面のフィニッシャ部１２の上縁部に引掛状態で係止保持可能な係止部２１を設ける。この係止部２１は、例えば、フック状などとする。係止部２１は、蓋部１７のヒンジ側に設けるようにする。これに伴い、飲料容器保持部５には、係止部２１との干渉を防止可能な座繰部２２を設ける。
【００１４】
また、カップホルダ装置１に、係止保持中の移動式灰皿１５の係止部２１を固定・解除可能なロック機構２５を設ける。このロック機構２５は、例えば、カップホルダ引出部３の左右の飲料容器保持部５の中間で且つフィニッシャ部１２近傍に設けられた取付孔２６に上方から挿入固定可能なケーシング２７を備えている。このケーシング２７は、取付孔２６に対してワンタッチで取付可能とする係止爪２８をその両側面に有している。ケーシング２７内にはスライド体２９が上下に摺動可能に嵌合され、このスライド体２９の一部はケーシング２７から上方に突出され、その頂部にはカップホルダ引出部３の上面とほぼ面一となるフランジ状の解除ボタン部３０が形成されている。ケーシング２７の底部には、ガイド孔３１が形成され、スライド体２９にはガイド孔３１にガイドされるガイド棒３２が下方へ向けて突設されている。そして、ケーシング２７とスライド体２９との底部間で且つガイド棒３２の外周にはスライド体２９を上方へ付勢するスプリングなどの弾性体３３が介装されている。
【００１５】
更に、ケーシング２７とスライド体２９との間にはこれらを上記引出方向４に貫通するロック爪部３５が配置されている。この際、ケーシング２７の引出方向４の両面にはロック爪部３５の断面とほぼ同形状の貫通孔３６が形成され、スライド体２９の引出方向４の両面にはロック爪部３５を上下にガイドするスライド孔３７が形成されている。このロック爪部３５は、先端が引出方向４の手前側へ突出されて、係止部２１に形成されたロック用孔部３８へ挿入されるようになっている。更に、ロック爪部３５の先端上部には、係止部２１の下端を上方から押付けることによってケーシング２７側へ押込められる傾斜形状の押込案内面３９が形成されている。
【００１６】
そして、ケーシング２７とスライド体２９とロック爪部３５との間にはこれらを左右方向に貫通するガイド軸４１が配置されている。この際、ロック爪部３５の左右方向の面にはガイド軸４１とほぼ同形状の貫通孔４２が形成され、ケーシング２７の左右方向の面にはガイド軸４１を引出方向４へガイドするスライド孔４３が形成され、スライド体２９の左右方向の面にはガイド軸４１を斜めにガイドするスライド孔４４が形成されている。この斜めのスライド孔４４は、引出方向４手前側に向かって下り勾配に形成されている。これにより、解除ボタン部３０を押した時にスプリングなどの弾性体３３の付勢力に抗してロック爪部３５の先端がケーシング２７側へ引込められ、解除ボタン部３０を放した時にスプリングなどの弾性体３３の付勢力によってロック爪部３５の先端が引出方向４の手前側へ突出されるようになっている。
【００１７】
更に、移動式灰皿１５の係止部２１に、カップホルダ装置１とフィニッシャ部１２の表面との間に所要の隙間４６を保持した状態でフランジ部１１（フィニッシャ部１２）の裏面側に支持させる支持面４７を設ける。この支持面４７は、フィニッシャ部１２の裏面側の傾斜と合致する傾斜面となっている。なお、カップホルダ装置１のフィニッシャ部１２の表面と対向する部分に対し、フィニッシャ部１２の表面とほぼ平行となる座繰部４８を設けても良い。
【００１８】
そして、上記隙間部分（座繰部４８）に、フィニッシャ部１２の表面に対する面当りを防止可能な突起部４９を設ける。この突起部４９は、上記隙間４６の上部と下部に設けるのが好ましい。この突起部４９は、通常時はフィニッシャ部１２の表面と接触しないようにする。
【００１９】
次に、この実施例の作用について説明する。
【００２０】
移動式灰皿１５は飲料容器保持部５に保持した状態でカップホルダ装置１に収容される。
【００２１】
飲料容器保持部５に飲料容器を保持しない場合には、飲料容器保持部５に保持した状態で、蓋部１７を開くことにより、移動式灰皿１５を使用することができる。
【００２２】
飲料容器保持部５に飲料容器を保持する際には、飲料容器保持部５から移動式灰皿１５を取出して、カップホルダ装置１表面のフィニッシャ部１２の上縁部に係止部２１を引掛けることにより移動式灰皿１５を係止保持することができる。このようにすることにより、飲料容器と移動式灰皿１５とを同時に保持して使用することが可能となる。
【００２３】
この際、カップホルダ装置１に設けたロック機構２５を用いて係止保持中の移動式灰皿１５の係止部２１を固定することにより、移動式灰皿１５を安定して保持することができる。反対に、ロック機構２５を操作して移動式灰皿１５の保持を解除することにより、移動式灰皿１５を取外して移動することもできる。
【００２４】
なお、ロック機構２５は、スプリングなどの弾性体３３の付勢力に抗して解除ボタン部３０を押すと、スライド体２９が下方へ移動され、この時にスライド孔４３，４４に沿ってガイド軸４１が引出方向４奥側へ移動されるので、ガイド軸４１と一体状態のロック爪部３５の先端がケーシング２７側へ引込められる。これにより、ロック爪部３５が係止部２１のロック用孔部３８から抜け出し、ロックが解除されることとなる。
【００２５】
反対に、スプリングなどの弾性体３３の付勢力に抗して解除ボタン部３０を放すと、スライド体２９が上方へ移動され、この時にスライド孔４３，４４に沿ってガイド軸４１が引出方向４手前側へ移動されるので、ガイド軸４１と一体状態のロック爪部３５の先端が引出方向４の手前側へ突出され、ロック可能状態となる。
【００２６】
このロック可能状態で、カップホルダ装置１表面のフィニッシャ部１２の上縁部に移動式灰皿１５の係止部２１を引掛けると、係止部２１の下端がロック爪部３５先端の傾斜形状をした押込案内面３９に上方から押付けられることによって、ロック爪部３５の先端が一旦ケーシング２７側へ押込められ、ロック用孔部３８で押付力が解除されてロック爪部３５が係止部２１のロック用孔部３８へ挿入され自動的にロックがかかることとなる。
【００２７】
そして、移動式灰皿１５をフィニッシャ部１２の上縁部に係止保持させた時に、移動式灰皿１５の係止部２１に設けた支持面４７が、カップホルダ装置１のフィニッシャ部１２（フランジ部１１）の裏面側に支持させることにより、フィニッシャ部１２の表面側と係止部２１との間に所要の隙間４６が形成されるようにしているので、移動式灰皿１５の係止保持時に、カップホルダ装置１のフィニッシャ部１２の表面側に傷が付くことが防止される。
【００２８】
また、上記隙間部分に（座繰部４８）に設けた突起部４９が、係止部２１とフィニッシャ部１２の表面との面当りを防止することにより、より効果的に傷の発生を防止することができる。
【００２９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３０】
【図１】本発明の実施例の全体斜視図である。
【図２】図１の側方断面図である。
【図３】図２のロック機構の分解斜視図である。
【符号の説明】
【００３１】
１    カップホルダ装置
５    飲料容器保持部
１２  フィニッシャ部
１５  移動式灰皿
２１  係止部
２５ロック機構
４６  隙間
４７  支持面
４９突起部
【図１】
2006015881.tif 000003
【図２】
2006015881.tif 000004
【図３】
2006015881.tif 000005